(57)【特許請求の範囲】
【請求項１】
互いに突き合わせられた光ファイバを分割構造の素子の間に挟み、これらをＵ字状のクランプバネによって挟持してなる光ファイバ接続器の組立治具において、
前記クランプバネの開口側を上向きとして支持する支持部と、
この支持部に支持されたクランプバネの開口に接近する方向および離間する方向へ移動可能に基台に支持され、所定距離だけ前記クランプバネに接近できる第１の部材と、
前記基台と第１の部材との間に介在して第１の部材を前記クランプバネの開口から離れる方向へ付勢する第１のバネと、
前記第１の部材と同一方向に移動可能に第１の部材に支持された第２の部材と、
前記第１の部材と第２の部材との間に介在して第２の部材を前記クランプバネの開口から離れる方向へ付勢する第２のバネと、
前記第１の部材に支持されて前記素子を挟持する一対の板バネと、
該一対の板バネの間に移動自在に配置された押し板と、
から構成され、前記第１のバネのバネ定数は第２のバネのバネ定数より小さく設定され、
前記一対の板バネは、前記第１の部材の移動によって前記クランプバネの開口内側上部に挿入される位置に支持され、
前記第２の部材により前記押し板を介して前記素子が前記クランプバネの所定位置に挿入されることを特徴とする光ファイバ接続器の組立治具。
【発明の詳細な説明】
【０００１】
【発明の属する技術分野】
本発明は、光ファイバ接続器を効率よく組み立てるための組立用治具に関する。
【０００２】
【従来の技術】
光ファイバ接続器は、図６に光ファイバ接続器の接続部分のみの組上がり外観図を示すように、つきあわせた２本の光ファイバを同一のハウジング内に固定する構造となっている。
この光ファイバ接続器は、一体化時に光ファイバを挟み込むベース１ａと蓋体１ｂとからなる二つ割り構造の素子と、この素子を内側に挟み込むことにより、側圧を与えて素子の一体化状態を維持するためのＵ字クランプバネ１ｃとから構成されている。
【０００３】
また、前記素子はベース１ａと蓋体１ｂとの間で光ファイバをつきあわせ可能に位置決め調心する調心機構を備え、Ｕ字クランプバネ１ｃはＵ字の開口側から内側に素子を圧入できる構造となっている。
従来、この光ファイバ接続器は、手工具等を用いてクランプバネ内にベースと蓋体とからなる前記素子を押し込むことにより組み立てていた。
【０００４】
【発明が解決しようとする課題】
ところが上述の方法による組立は、光ファイバ接続器のサイズが小さいために作業に手間がかかり、素子をクランプバネに押し込むときにクランプバネを広げすぎてバネ定数を変化させてしまう可能性があるため熟練を要していた。
バネ定数が変化してしまうと、光ファイバの接続精度（調心精度）が低下し、所定の特性を得ることができないと言う問題があった。
本発明はこのような背景の下になされたもので、熟練者でなくてもバネを痛める心配がなく、作業性の良好な光ファイバ接続器組立治具を提供することを目的とする。
【０００５】
【課題を解決するための手段】
本発明は、互いに突き合わせられた光ファイバを分割構造の素子の間に挟み、これらをＵ字状のクランプバネによって挟持してなる光ファイバ接続器の組立治具において、前記クランプバネの開口側を上向きとして支持する支持部と、この支持部に支持されたクランプバネの開口に接近する方向および離間する方向へ移動可能に基台に支持され、所定距離だけ前記クランプバネに接近できる第１の部材と、前記基台と第１の部材との間に介在して第１の部材を前記クランプバネの開口から離れる方向へ付勢する第１のバネと、前記第１の部材と同一方向に移動可能に第１の部材に支持された第２の部材と、前記第１の部材と第２の部材との間に介在して第２の部材を前記クランプバネの開口から離れる方向へ付勢する第２のバネと、前記第１の部材に支持されて前記素子を挟持する一対の板バネと、該一対の板バネの間に配置されるとともに、前記素子の上部に置かれて前記一対の板バネの間を移動する押し板とから構成され、前記第１のバネのバネ定数は第２のバネのバネ定数より小さく設定され、前記一対の板バネは、前記第１の部材の移動によって前記クランプバネの開口内側上部に挿入される位置に支持され、前記第２の部材により押し板を介して前記素子が前記クランプバネの所定位置に挿入されることを特徴とする光ファイバ接続器の組立治具を提供する。
【０００６】
【発明の実施の形態】
図１から図４は本発明の一実施形態による光ファイバ接続器組立治具の構成を示す図である。図１は組立治具の全体の構成を表す図であり、図２は図１の全体構成図を右側面から見た図である。図３は素子１ａ，１ｂを保持する部分の拡大図であり、図４は図１の素子１ａ，１ｂを保持する部分を右側面から見た拡大図である。
また、図５は前記素子１ａ，１ｂをＵ字クランプバネ１ｃに挿入する過程を説明する拡大図であり、素子とＵ字クランプバネの断面形状の詳細が分かるようになっている。
【０００７】
図６において、光ファイバ接続器１は、ベース１ａと蓋体１ｂとにより、互いに突き合わされた光ファイバ２を固定、調心する素子を構成し、この素子をＵ字状クランプバネ１ｃによって挟持することによって構成される。
この光ファイバ接続器を組み立てるための組立治具の構成と動作を説明する。図１において、符号１０は組立治具の基台、１１は１０と直結されて組立治具の可動部分全体を支持する支持部材である。
前記クランプバネ１ｃは、Ｕ字クランプバネ支持部１２とＵ字クランプバネ支持部１３とにより、その開口側を上向きとして前記基台１０の所定位置に固定される。
【０００８】
次に、支持部材１１に支持され、前記基台１０に支持されたクランプバネ１ｃの開口に接近する方向および離間する方向へ移動可能に支持された第１の部材１５と、前記支持部材１１と前記第１の部材１５との間に介在して前記第１の部材１１を前記クランプバネ１ｃの開口から離れる方向へ付勢する第１のバネ１４と、前記第１の部材１５と同一方向に移動可能に前記第１の部材１５に支持された第２の部材１８と、前記第１の部材１５と第２の部材１８との間に介在して第２の部材を前記クランプバネの開口から離れる方向へ付勢する第２のバネ１６と、前記第１の部材１５に支持されて前記素子１ａ，１ｂを挟持する一対の板バネ２０と、該一対の板バネ２０の間に配置されるとともに、前記素子の上方に乗せられて前記一対の板バネの間を移動する押し板２１とから構成される。
【０００９】
なお、前記第１のバネ１４のバネ定数は第２のバネ１６のバネ定数より小さく設定され、前記一対の板バネ２０は、前記第１の部材１５の移動によって前記クランプバネ１ｃの開口の間に挿入される位置に支持されている（図５（ａ）参照）。
【００１０】
このような構成の組立治具において、第２の部材１８と直結された押し下げ板１７をＵ字クランプバネ１ｃが支持されている方向に押すと、第１のバネ１４と第２のバネ１６のうち、まずバネ定数の小さな第１のバネが伸びて第１の部材１５をＵ字クランプバネ１ｃの向きに移動させ、第１の部材と直結されている素子保治具１９と、素子１ａ，１ｂを保持した一対の板バネ２０とをＵ字クランプバネ１ｃが支持されている向きに移動させ、第１の部材１５の下端が基台１０に到達することにより、一対の板バネ２０の下端がＵ字クランプバネ１ｃの内側上端開口部に挿入される（図５（ｂ）参照）。
【００１１】
さらに、押し下げ板１７を押すと、第１の部材１５と第２の部材１８の間に接続されている第２のバネ１６が伸び始め、前記第２の部材が押し板２１をＵ字クランプバネの底部に向けて移動させ、素子１ａ，１ｂを所定位置まで押し込む（図５（ｃ）参照）。
ここで、押し下げ板１７を押すことを止めると、第１のバネ１４および第２のバネ１６の力により、第１の部材１５および第２の部材１８は、バネの縮んだ位置まで戻り、素子１ａ，１ｂはＵ字クランプバネ１ｃの所定位置に挿入され、光ファイバ接続器１の組立が終了する（図５（ｄ）参照）。
以上、本発明の一実施形態の動作を図面を参照して詳述してきたが、本発明はこの実施形態に限られるものではなく、本発明の要旨を逸脱しない範囲の設計変更等があっても本発明に含まれる。
【００１２】
【発明の効果】
これまでに説明したように、本発明の組立治具を使うことにより、光ファイバ接続器の素子を無理にＵ字クランプバネを広げすぎることなく、効率よく、Ｕ字クランプバネに組み込めるようにしたので、熟練を要さず、Ｕ字クランプバネのバネ定数を変化させることなく、容易に光ファイバ接続器の組立ができるという効果が得られる。
【図面の簡単な説明】
【図１】  本発明の一実施形態による光ファイバ接続器組立治具の全体の構成を示す図である。
【図２】  図１の全体構成図を右側面から見た図である。
【図３】  素子を保持する部分の拡大図である。
【図４】  図１の素子を保持する部分を右側面から見た拡大図である。
【図５】  素子をＵ字クランプバネに挿入する過程を説明する拡大図である。
【図６】  光ファイバ接続器の接続部分の組上がり外観図である。
【符号の説明】
１  光ファイバ接続器
１ａ  ベース
１ｂ  蓋体
１ｃ  Ｕ字状クランプバネ
２  光ファイバ
１０  基台
１１  支持部材
１２  Ｕ字クランプバネ支持部
１３  Ｕ字クランプバネ支持部
１４  第１のバネ
１５  第１の部材
１６  第２のバネ
１７  押し下げ板
１８  第２の部材
１９  素子保治具
２０  板バネ
２１  押し板
【図１】
0003670099.tif 000002
【図２】
0003670099.tif 000003
【図３】
0003670099.tif 000004
【図４】
0003670099.tif 000005
【図５】
0003670099.tif 000006
【図６】
0003670099.tif 000007